(57)【要約】      （修正有）【課題】同一の支持枠本体を有し、ベッドまたはテーブルとして使用することが可能なテーブルの提供。【解決手段】テーブル又はベッドを地面から安定に支持する支持枠本体１０と、ベッド２０と、二つのＬ型サイド枠２１および一つのベッド板２５とから構成され、Ｌ型サイド枠の開口方向が前記支持枠本体に対応してＬ型サイド枠によって支持枠本体と安定に枢着されるテーブル３０と、二つの旋回ロッド４０とを含む。前記サイド枠の中段の下には一つの旋回棒３４が設けてあり、前記旋回ロッドは、一端が前記支持枠本体に枢着し、他端に定位鉤が設けてある。【選択図】図１
0003113045.tif 000002
【実用新案登録請求の範囲】
【請求項１】
支持枠本体と、ベッドと、テーブルと、二つの旋回ロッドとを含むベッドに快速転換可能なテーブルの構造において、
前記支持枠本体は、テーブル又はベッドを地面から安定に支持し、
前記ベッドは、二つのＬ型サイド枠と、一つのベッド板とから構成され、Ｌ型サイド枠の開口方向が前記支持枠本体に対応し、前記Ｌ型サイド枠によって支持枠本体と安定に枢着し、
前記テーブルは、二つのサイド枠と、一つのテーブル板とから構成され、前記サイド枠の中段が前記支持枠本体のＬ型サイド枠に枢着し、且つ前記サイド枠がベッドのＬ型サイド枠の開口に対応し、前記サイド枠の中段の下には一つの旋回棒が設けてあり、
前記旋回ロッドは、一端が前記支持枠本体に枢着し、他端に定位鉤が設けてあり、前記定位鉤がテーブルの二つのサイド枠の旋回棒に枢着し定位されることを特徴とする、
ベッドに快速転換可能なテーブルの構造。
【請求項２】
支持枠本体と、ベッドと、テーブルと、二つの旋回ロッドと、二つの伸縮ロッドとを含むベッドに快速転換可能なテーブルの構造において、
前記支持枠本体は、両側の壁面には第一枢着孔と第二枢着孔とが対向に開設してあり、第一枢着孔が第二枢着孔の上方に位置し、
前記ベッドは、Ｌ型サイド枠の支持枠本体に近接する一端には枢着軸が凸設してあり、ベッドは両側の枢着軸によって前記支持枠本体の両側の第一枢着孔に安定に枢着し、なお、Ｌ型サイド枠の他端には連接用枢着孔が設けてあり、前記連接用枢着孔が開口に近接し、
前記テーブルは、サイド枠の中段の上に枢着台が設けてあり、枢着台が枢着棒と合わせて前記ベッドのＬ型サイド枠の連接用枢着孔と連接し、且つテーブルのサイド枠の周縁が前記ベッドの両側のＬ型サイド枠の開口の側壁に対応し、旋回棒が枢着台の直下に位置し、
前記旋回ロッドは、中段に一つの枢着部が設けてあり、
前記伸縮ロッドは、上端が旋回ロッドの枢着部に枢着し、底端が前記支持枠本体に定位されることを特徴とする、請求項１に記載のベッドに快速転換可能なテーブルの構造。
【請求項３】
前記伸縮ロッドは油圧伸縮ロッドであり、伸縮可能なチューブと、内棒となどから構成され、設定された油圧を有することを特徴とする、請求項２に記載のベッドに快速転換可能なテーブルの構造。
【請求項４】
前記伸縮ロッドは空気圧伸縮ロッドであり、伸縮可能なチューブと、内棒となどから構成され、設定された空気圧を有することを特徴とする、請求項２に記載のベッドに快速転換可能なテーブルの構造。
【請求項５】
前記伸縮ロッドはバネ伸縮ロッドであり、伸縮可能なチューブと、内棒と、バネとなどから構成され、設定された弾力を有することを特徴とする、請求項２に記載のベッドに快速転換可能なテーブルの構造。
【考案の詳細な説明】
【技術分野】
【０００１】
本考案は、ベッドに快速転換可能なテーブルの構造に係り、特に、支持枠本体に一つのベッドを枢着し、ベッドの底側にテーブルを別に枢着し、ベッドは水平または垂直に枢転して定位することができ、また旋回ロッドによりテーブルはベッドに対して水平に昇降することができ、同一の支持枠本体で、ベッドまたはテーブルとして使用可能なベッドに快速転換可能なテーブルの構造に関するものである。
【背景技術】
【０００２】
目下、家具のニーズがどんどん増えており、各家庭にとって各タイプのテーブルとベッドとが必要品になり、だから、室内空間はテーブルとベッドとに占められて、室内空間は余裕がなくなり、現在の解決方法は、室内空間をあまり占めないテーブルとベッドとを開発したが、上記問題が根本的に解決されていない。
【考案の開示】
【考案が解決しようとする課題】
【０００３】
本考案の主な目的は、支持枠本体に一つのベッドを枢着し、ベッドの底側にテーブルを別に枢着し、ベッドは水平または垂直に枢転して定位することができ、なお、旋回ロッドによりテーブルはベッドに対して水平に昇降することができ、同一の支持枠本体で、ベッドまたはテーブルとして使用する可能なベッドに快速転換可能なテーブルの構造を提供する。
【課題を解決するための手段】
【０００４】
上記目的を達成するためになされた本願の第１考案は、支持枠本体と、ベッドと、テーブルと、二つの旋回ロッドとを含むベッドに快速転換可能なテーブルの構造において、前記支持枠本体は、テーブル又はベッドを地面から安定に支持し、前記ベッドは、二つのＬ型サイド枠と、一つのベッド板とから構成され、Ｌ型サイド枠の開口方向が前記支持枠本体に対応し、前記Ｌ型サイド枠によって支持枠本体と安定に枢着し、前記テーブルは、二つのサイド枠と、一つのテーブル板とから構成され、前記サイド枠の中段が前記支持枠本体のＬ型サイド枠に枢着し、且つ前記サイド枠がベッドのＬ型サイド枠の開口に対応し、前記サイド枠の中段の下には一つの旋回棒が設けてあり、前記旋回ロッドは、一端が前記支持枠本体に枢着し、他端に定位鉤が設けてあり、前記定位鉤がテーブルの二つのサイド枠の旋回棒に枢着し定位されることを特徴とするベッドに快速転換可能なテーブルの構造であることを要旨としている。
【０００５】
本願の第２考案は、前記第1考案において、支持枠本体と、ベッドと、テーブルと、二つの旋回ロッドと、二つの伸縮ロッドとを含むベッドに快速転換可能なテーブルの構造において、前記支持枠本体は、両側の壁面には第一枢着孔と第二枢着孔とが対向に開設してあり、第一枢着孔が第二枢着孔の上方に位置し、前記ベッドは、Ｌ型サイド枠の支持枠本体に近接する一端には枢着軸が凸設してあり、ベッドは両側の枢着軸によって前記支持枠本体の両側の第一枢着孔に安定に枢着し、なお、Ｌ型サイド枠の他端には連接用枢着孔が設けてあり、前記連接用枢着孔が開口に近接し、前記テーブルは、サイド枠の中段の上に枢着台が設けてあり、枢着台が枢着棒と合わせて前記ベッドのＬ型サイド枠の連接用枢着孔と連接し、且つテーブルのサイド枠の周縁が前記ベッドの両側のＬ型サイド枠の開口の側壁に対応し、なお、旋回棒が枢着台の直下に位置し、前記旋回ロッドは、中段に一つの枢着部が設けてあり、前記伸縮ロッドは、上端が旋回ロッドの枢着部に枢着し、底端が前記支持枠本体に定位されることを特徴とするベッドに快速転換可能なテーブルの構造であることを要旨としている。
【０００６】
本願の第３考案は、前記第２考案において、前記伸縮ロッドは油圧伸縮ロッドであり、伸縮可能なチューブと、内棒となどから構成され、設定された油圧を有することを特徴とするベッドに快速転換可能なテーブルの構造であることを要旨としている。
【０００７】
本願の第４考案は、前記第２考案において、前記伸縮ロッドは空気圧伸縮ロッドであり、伸縮可能なチューブと、内棒となどから構成され、設定された空気圧を有することを特徴とするベッドに快速転換可能なテーブルの構造であることを要旨としている。
【０００８】
本願の第５考案は、前記第２考案において、前記伸縮ロッドはバネ伸縮ロッドであり、伸縮可能なチューブと、内棒と、バネとなどから構成され、設定された弾力を有することを特徴とするベッドに快速転換可能なテーブルの構造であることを要旨としている。
【考案の効果】
【０００９】
本考案に係るベッドに快速転換可能なテーブルの構造によれば、支持枠本体に一つのベッドを枢着し、ベッドの底側にテーブルを別に枢着し、ベッドは水平または垂直に枢転して定位することができ、なお、旋回ロッドによりテーブルはベッドに対して水平に昇降することができ、同一の支持枠本体で、ベッドまたはテーブルとして使用する可能になる。
【考案を実施するための最良の形態】
【００１０】
以下、添付図面を参照して本考案の好適な実施の形態を詳細に説明する。
【００１１】
まず、図１と図２を参照する。本考案のベッドに快速転換可能なテーブルの構造は、支持枠本体１０と、ベッド２０と、テーブル３０と、二つの旋回ロッド４０と、二つの伸縮ロッド５０とを含む。
【００１２】
前記支持枠本体１０は、テーブル又はベッドを地面から安定に支持し、両側の壁面には第一枢着孔１１と第二枢着孔１２とが対向に開設してあり、第一枢着孔１１が第二枢着孔１２の上方に位置し、また、両側の予定位置には、一つの上定位管１３と、一つの下定位管１４とがそれぞれ設けてある。
【００１３】
前記ベッド２０は、両側のＬ型サイド枠２１と、一つのベッド板２５とから構成され、且つＬ型サイド枠２１の支持枠本体１０に近接する一端には枢着軸２３が凸設してあり、ベッド２０は両側の枢着軸２３によって前記支持枠本体１０の両側の第一枢着孔１１に安定に枢着し、なお、Ｌ型サイド枠２１の他端には連接用枢着孔２４が設けてあり、前記連接用枢着孔２４が開口２２に近接し、また、Ｌ型サイド枠２１にはロック部材２６が取付けてあり、ロック部材２６には付勢された定位軸２６１が摺動自在に設けてあり、定位軸２６１の端部には引棒２６２が設けてあり、定位軸２６１の他端にある凸出端が支持枠本体１０の両側の上定位管１３と下定位管１４とに対応し、且つ定位軸２６１の凸出端はベッド２０の定位状態によって上定位管１３または下定位管１４に挿入する。
【００１４】
前記テーブル３０は、二つのサイド枠３１と、一つのテーブル板３２とから構成され、サイド枠３１の中段の上に枢着台３３が設けてあり、枢着台３３が枢着棒３３１と合わせて前記ベッド２０のＬ型サイド枠２１の連接用枢着孔２４と連接し、且つテーブル３０のサイド枠３１の周縁が前記ベッド２０の両側のＬ型サイド枠２１の開口２２の側壁に対応し、なお、サイド枠３１の地中段の下に旋回棒３４が設けてあり、旋回棒３４が枢着台３３の直下に位置する。
【００１５】
前記旋回ロッド４０は、一端が枢着具４２と合わせて支持枠本体１０の第二枢着孔１２に枢着し、他端に定位鉤４３が設けてあり、また、中段に一つの枢着部４１が設けてあり、定位鉤４３がテーブル３０の二つのサイド枠３１の旋回棒３４に枢着し定位される。
【００１６】
前記伸縮ロッド５０は、伸縮可能なチューブ５１と、内棒５２となどから構成され、上端が旋回ロッド４０の枢着部４１に枢着し、底端が前記支持枠本体１０の内壁面に定位される。また伸縮ロッド５０は、油圧伸縮ロッドでもいいし、空気圧伸縮ロッドでもいいし、バネ伸縮ロッドでもいい。
【００１７】
次に、図２乃至図５を参照して本考案の作動方式および機能を詳細に説明する。
【００１８】
図２と図３に示すように、本考案を一般のテーブルとして使用しようとする場合には、ベッド２０は、両側の枢着軸２３と支持枠本体１０の第一枢着孔１１とによって、開口２２の方向から９０度に回転し、且つベッド２０のベッド板２５は水平から垂直に転向され、このとき、テーブル３０は、中段の枢着台３３がベッド２０のＬ型サイド枠２１の連接用枢着孔２４に枢着することにより、ベッド２０の回転に従って上昇し、このとき、使用者は旋回ロッド４０の案内機能を利用してテーブル３０を円弧形経路に沿って上昇させ、且つテーブル３０は、旋回ロッド４０の定位と伸縮ロッド５０の支持とにより、テーブル板３２が水平状態を維持するままに安定に上昇することができ、ベッド２０のベッド板２５が水平から垂直に転向した後、ベッド２０とテーブル３０とが支持枠本体１０に安定に支持され（このとき、締結具よってベッド２０とテーブル３０とを支持枠本体１０に締結してもよく）、なお、ベッド２０のＬ型サイド枠２１の開口２２の側壁は依然としてテーブル３０のサイド枠３１の周縁に安定に当接し、且つテーブル３０のサイド枠３１はベッド２０の開口２２にちょうど嵌め込まれ、だから、本考案はテーブル状態に安定に転換することができる。
【００１９】
一方、図４と図５に示すように、本考案を一般のベッドとして使用しようとする場合には、使用者が締結具（一般の市販しているロック部材であるので、説明は省略）を取外して、ベッド２０は、両側の枢着軸２３と支持枠本体１０の第一枢着孔１１とによって、開口２２の逆方向へ９０度に回転し、ベッド２０のベッド板２５が垂直から水平に転向し、このとき、テーブル３０は、中段の枢着台３３がベッド２０のＬ型サイド枠２１の連接用枢着孔２４に枢着することにより、ベッド２０の回転に従って降下し、このとき、使用者は旋回ロッド４０の案内機能を利用してテーブル３０を円弧形経路に沿って降下させ、且つテーブル３０は、旋回ロッド４０の定位と伸縮ロッド５０の支持とにより、テーブル板３２が水平状態を維持するままに安定に降下することができ、ベッド２０のベッド板２５が垂直から水平に転向した後、ベッド２０とテーブル３０とが支持枠本体１０に安定に支持され（このとき、締結具よってベッド２０とテーブル３０とを支持枠本体１０に締結してもよく）、なお、ベッド２０のＬ型サイド枠２１の開口２２の他の側壁は依然としてテーブル３０のサイド枠３１の周縁に安定に当接し、だから、テーブル３０のサイド枠２１がベッド２０のＬ型サイド枠２１の支持足になり、だから、本考案はベッド状態に安定に転換することができる。上記構成により、本考案は、ベッド状態またはテーブル状態に繰り返して転換して使用することができるので、自由に利用できる室内空間が広くなる。
【００２０】
特に説明したいのは、図６に示すように、本考案をベッドまたはテーブル状態に転換した後にロック部材２６を増設してもよく、ロック部材２６には付勢された定位軸２６１が摺動自在に設けてあり、定位軸２６１の端部には引棒２６２が設けてあり、定位軸２６１の他端にある凸出端が支持枠本体１０の両側の上定位管１３と下定位管１４とに対応し、且つ定位軸２６１の凸出端はベッド２０の定位状態によって上定位管１３または下定位管１４に挿入し、これにより、定位の効果が強化され、これは一般の家具のよく使用される部品であるので、ここで説明を省略し、また、伸縮ロッド５０の用途は、油圧伸縮ロッド又は空気圧伸縮ロッド又はバネ伸縮ロッドとして使用するの他に、それらの予定の油圧や空気圧や弾力を利用してベッドやテーブルの昇降する際の支持力として活用してもいい。
【図面の簡単な説明】
【００２１】
【図１】本考案の分解斜視図である。
【図２】本考案のテーブルとする状態の斜視図である。
【図３】本考案のテーブルとする状態の概略図である。
【図４】本考案のベッドとする状態の斜視図である。
【図５】本考案のベッドとする状態の概略図である。
【図６】本考案に係るロック部材の概略図である。
【符号の説明】
【００２２】
１０      支持枠本体              １１      第一枢着孔
１２      第二枢着孔              １３      上定位管
１４      下定位管
２０      ベッド                  ２１      Ｌ型サイド枠
２２      開口                    ２３      枢着軸
２４      連接用枢着孔            ２５      ベッド板
２６      ロック部材              ２６１    定位軸
２６２    引棒
３０      テーブル                ３１      サイド枠
３２      テーブル板              ３３      枢着台
３３１    枢着棒                  ３４      旋回棒
４０      旋回ロッド              ４１      枢着部
４２      枢着具                  ４３      定位鉤
５０      伸縮ロッド              ５１      チューブ
５２      内棒
【図１】
0003113045.tif 000003
【図２】
0003113045.tif 000004
【図３】
0003113045.tif 000005
【図４】
0003113045.tif 000006
【図５】
0003113045.tif 000007
【図６】
0003113045.tif 000008